(57)【要約】【課題】外部機器から連続して入力されるデータを記録する場合に、所定のパラメータに基づいてデータを分割し、この分割したデータ毎でファイル及びディレクトリの管理を行う。【解決手段】  音声データを記憶する記憶手段と、この記憶手段に記憶された音声データの再生を行う再生手段とを備えた記録再生装置において、音声データを外部機器から入力する音声データ取得手段と、この音声データを所定の時間長で分割する時間長データ分割手段及び／又はこの音声データから所定の音声レベルが一定時間検出されない場合にデータの分割を行う無音部分データ分割手段と、この分割された前記音声データ毎にファイルを生成し、ファイルが所定数生成されるとこのファイルをディレクトリに格納して記憶手段に記憶する記憶制御手段とを備える。【選択図】図３
2007095188.tif 000002
【特許請求の範囲】
【請求項１】
音声データを記憶する記憶手段と、該記憶手段に記憶された音声データの再生を行う再生手段とを備えた記録再生装置において、
前記音声データを外部機器から取得する音声データ取得手段と、
該音声データを所定の時間長で分割する時間長データ分割手段と、
前記時間長データ分割手段により所定の時間長で分割された前記音声データ毎にデータファイルを生成し前記記憶手段に記憶する記憶制御手段と、を備えることを特徴とする記録再生装置。
【請求項２】
音声データを記憶する記憶手段と、該記憶手段に記憶された音声データの再生を行う再生手段とを備えた記録再生装置において、
前記音声データを外部機器から取得する音声データ取得手段と、
該音声データから無音部分を検出することにより前記音声データを分割する無音部分データ分割手段と、
前記無音部分データ分割手段により分割された前記音声データ毎にデータファイルを生成し前記記憶手段に記憶する記憶制御手段と、を備えることを特徴とする記録再生装置。
【請求項３】
請求項１又は２に記載の記録再生装置において、
前記データファイルが所定数生成されると、ディレクトリを生成するディレクトリ生成手段を更に備え、
前記記憶制御手段は、前記所定数のデータファイルを該ディレクトリと対応付けて格納し前記記憶手段に記憶することを特徴とする記録再生装置。
【請求項４】
請求項１〜３の何れか一項に記載の記録再生装置において、
前記外部機器のセレクタ情報を入力するセレクタ情報入力手段を更に備え、
前記音声データの分割に際し、前記セレクタ情報に基づいて前記時間長データ分割手段又は前記無音部分データ分割手段を選択して前記音声データの分割を行うことを特徴とする記録再生装置。
【請求項５】
音声データを出力する外部機器と、
該音声データを取得し記憶する記憶手段と、該記憶手段に記憶された音声データの再生を行う再生手段とを備えた記録再生装置と、から構成される記録再生システムにおいて、
前記外部機器から取得した音声データを所定の時間長で分割する時間長データ分割手段と、
前記時間長データ分割手段により所定の時間長で分割された前記音声データ毎にデータファイルを生成し前記記憶手段に記憶する記憶制御手段と、を備えることを特徴とする記録再生システム。
【請求項６】
音声データを出力する外部機器と、
該音声データを取得し記憶する記憶手段と、該記憶手段に記憶された音声データの再生を行う再生手段とを備えた記録再生装置とから構成される記録再生システムにおいて、
前記外部機器から取得した音声データから無音部分を検出することにより前記音声データを分割する無音部分データ分割手段と、
前記無音部分データ分割手段により分割された前記音声データ毎にデータファイルを生成し前記記憶手段に記憶する記憶制御手段と、を備えることを特徴とする記録再生システム。
【請求項７】
請求項５又は６に記載の記録再生システムにおいて、
前記データファイルが所定数生成されると、ディレクトリを生成するディレクトリ生成手段を更に備え、
前記記憶制御手段は、前記所定数のデータファイルを該ディレクトリと対応付けて格納し前記記憶手段に記憶することを特徴とする記録再生システム。
【請求項８】
請求項５〜７の何れか一項に記載の記録再生システムにおいて、
前記外部機器は複数種類の音声再生手段を有し、該音声再生手段を選択するセレクタ装置を更に備え、
前記記録再生装置は、前記セレクタ装置によって選択される前記音声再生手段の種類を示す情報を取得するセレクタ情報取得手段を更に備え、
前記音声データの分割に際し、前記セレクタ情報に基づいて前記時間長データ分割手段又は前記無音部分データ分割手段を選択して前記音声データの分割を行うことを特徴とする記録再生システム。
【請求項９】
電子データを記憶する記憶手段に外部音源から入力される音声データを記録し、音声データの再生を行う再生手段で該音声データの再生を行う記録再生方法において、
入力された前記音声データを所定の時間長で分割するステップと、
分割した前記音声データごとにデータファイルを生成し前記記憶手段に記憶するステップと、を含むことを特徴とする記録再生方法。
【請求項１０】
電子データを記憶する記憶手段に、外部音源から取得する音声データを記録し、音声データの再生を行う再生手段で該音声データの再生を行う記録再生方法において、
取得した前記音声データから無音部分を検出することにより前記音声データを分割するステップと、
分割した前記音声データ毎にデータファイルを生成し前記記憶手段に記憶するステップと、を含むことを特徴とする記録再生方法。
【請求項１１】
音声データを記憶する記憶手段と、該記憶手段に記憶された音声データの再生を行う再生手段とを備えた記録再生装置を制御するコンピュータに、
前記音声データを外部音源から取得する機能と、
該音声データを所定の時間長で分割する機能と、
前記所定の時間長で分割された音声データ毎にデータファイルを生成し前記記憶手段に記憶する機能と、を実現することを特徴とするプログラム。
【請求項１２】
音声データを記憶する記憶手段と、該記憶手段に記憶された音声データの再生を行う再生手段とを備えた記録再生装置を制御するコンピュータに、
前記音声データを外部音源から取得する機能と、
該音声データから無音部分を検出することにより前記音声データを分割する機能と、
前記分割された音声データ毎にデータファイルを生成し前記記憶手段に記憶する機能と、を実現することを特徴とするプログラム。
【発明の詳細な説明】
【技術分野】
【０００１】
本発明は、記録再生装置、記録再生システム、記録再生方法及びプログラムに係り、特にアナログ信号で出力される目次情報に基づき、各音声データの時間情報からトラックを生成する記録再生装置、記録再生システム、記録再生方法及びプログラムに関する。
【背景技術】
【０００２】
近年、ハードディスクやフラッシュメモリに音楽等の音声データを記憶して音声再生を行う携帯型の記録再生装置が急速に普及している。小型、軽量且つ大記憶容量であり、音楽等の再生のみならずその整理や保管にも便利である。
音声データの取得は、ＰＣ（Ｐｅｒｓｏｎａｌ  Ｃｏｍｐｕｔｅｒ）の内部メモリにＣＤ−ＤＡ等の記録媒体やインターネット等のネットワークを通じて取得し、内部メモリに記憶された楽曲等の音声データから圧縮音声データを生成し、ＵＳＢ（Ｕｎｉｖｅｒｓａｌ  Ｓｅｒｉａｌ  Ｂｕｓ）ケーブル等を介して携帯型記録再生装置のハードディスク等に転送することにより行われる。
このようにＰＣやネットワークを介して音声データ等を取得する場合には、音声データが予め１曲毎にファイル単位で管理された状態で携帯型記録再生装置に記録される。
【０００３】
一方、従来から知られるカセットテープレコーダ、ＤＡＴ（Ｄｉｇｉｔａｌ  Ａｕｄｉｏ  Ｔａｐｅ）再生装置、ＣＤプレーヤ等では、アナログ音声出力端子が設けられている場合があり、この出力端子を通じて外部スピーカや外部記録装置と接続し、音声データのアナログ出力ができるようになっている。このアナログ音声出力端子を携帯型記録再生装置と接続して音声データを出力することもでき、この場合、携帯型記録再生装置では入力される音声データの全てを１つの音声データとして１つのファイルで管理する。即ち、入力データがファイル管理されていないため、入力データ中に複数の曲が含まれていても曲毎のＳＯＦ（Ｓｔａｒｔ  Ｏｆ  Ｆｉｌｅ）やＥＯＦ（Ｅｎｄ  Ｏｆ  Ｆｉｌｅ）等の概念が無く１つの長いデータとして１つのファイルに格納する。この入力データの中から所望する曲を再生する場合には、ユーザは操作部からこのファイルを選択し、早送り釦を操作して早送りと再生とを繰返し感覚的に目的の曲をサーチするという煩わしさがある。
携帯型再生装置は、データの記憶容量が特に大きいという特徴がある。例えば、最大で２０ギガバイト又はそれ以上の記憶容量があり、音声データでは、１曲が４分の曲をＷＭＡ形式（６４ｋｂｐｓ）で記憶した場合、１００００曲又はそれ以上の音声データを収録することができる。このため、ユーザが長年蓄積してきた（磁気テープやＣＤ−Ｒ等に記録した）音声データ等をまとめて整理する場合も少なからずあり、曲の音声データに限らず、長時間の会議等を録音した機器からアナログ出力により携帯型記録再生装置に音声データを転送して整理する場合も同様である。
【０００４】
ところで、外部機器から入力された音声データを曲乃至は所定の単位で管理するために種々の技術が開発されている。例えば、特許文献１には取得した画像データ等を各ファイルの作成日時又はファイルに含まれる日時情報に関する時系列に沿って区分しグループ化する技術が開示されている。また、特許文献２には、放送の録音等で大量のデータが記憶される場合、使用者に適切な設定ディレクトリに所望の放送番組と関連性を持つデータが自動的に移動し設定ディレクトリ内にデータベース化する技術が開示されている。更には、長大となるデータから所望するデータを自動検出技術として、特許文献３には、音声データ等の切れ目即ち無音部分にインデックスマークを記録し、このインデックスマークに基づいて所望のデータを検出する技術が開示されている。
【特許文献１】特開２００５−５１４５３号公報
【特許文献２】特開２００２−２８０９８４号公報
【特許文献３】特開平９−６２２９６号公報
【発明の開示】
【発明が解決しようとする課題】
【０００５】
しかしながら、特許文献１に開示される技術は、例えばファイルの作成日時に基づいて各データを管理するため、１つのファイルに格納されるデータの個別的な管理を行うことができない。特に、長時間の会議を録音した場合等は、録音機器を録音状態にしたままで延々と記録し続ける場合が少なからずある。この場合作成されるファイルは１つであるため例えば４時間〜５時間に及ぶ長大なデータを個別的に管理することはできない。
特許文献２に開示される技術は、作成されたファイルを所定のディレクトリとして対応付けるものであり、１つのディレクトリに格納される長大なデータを個別的に管理することができないのは特許文献１の技術と同様である。
また、特許文献３に開示される技術は、磁気テープ等に音声データを記録した場合に、無音部分に記録されたインデックスマークを目印として所望する音声データにアクセスするものであり、ハードディスクやフラッシュメモリのように電子的に情報を記録する装置とは技術的構成及び作用が全く異なる。更には、ハードディスクを用いて情報を電子的に管理する技術は、ファイル構成等を自由に構成できるという特徴があり、この点先行文献３に開示される技術では電子的な情報記録におけるデータ管理上の課題を解決することができない。
【０００６】
本発明の課題は、外部機器から連続して入力されるデータを記録する場合に、所定のパラメータに基づいてデータを分割し管理を行うことである。
【課題を解決するための手段】
【０００７】
上記課題を解決するために、請求項１に記載の発明は、音声データを記憶する記憶手段と、該記憶手段に記憶された音声データの再生を行う再生手段とを備えた記録再生装置において、
前記音声データを外部機器から取得する音声データ取得手段と、
該音声データを所定の時間長で分割する時間長データ分割手段と、
前記時間長データ分割手段により所定の時間長で分割された前記音声データ毎にデータファイルを生成し前記記憶手段に記憶する記憶制御手段と、を備えることを特徴とする。
【０００８】
請求項２に記載の発明は、音声データを記憶する記憶手段と、該記憶手段に記憶された音声データの再生を行う再生手段とを備えた記録再生装置において、
前記音声データを外部機器から取得する音声データ取得手段と、
該音声データの無音部分を検出することにより前記音声データを分割する無音部分データ分割手段と、
前記無音部分データ分割手段により分割された前記音声データ毎にデータファイルを生成し前記記憶手段に記憶する記憶制御手段と、を備えることを特徴とする。
【０００９】
請求項３に記載の発明は、所定数生成されると、ディレクトリを生成するディレクトリ生成手段を更に備え、前記記憶制御手段は、前記所定数のデータファイルを該ディレクトリと対応付けて格納し前記記憶手段に記憶することを特徴とする。
【００１０】
請求項４に記載の発明は、請求項１〜３の何れか一項に記載の記録再生装置において、
前記外部機器のセレクタ情報を入力するセレクタ情報入力手段を更に設け、
前記音声データの分割に際し、前記セレクタ情報に基づいて前記時間長データ分割手段又は前記無音部分データ分割手段を選択して前記音声データの分割を行うことを特徴とする。
【００１１】
請求項５に記載の発明は、音声データを出力する外部機器と、
該音声データを取得し記憶する記憶手段と、該記憶手段に記憶された音声データの再生を行う再生手段とを備えた記録再生装置から構成される記録再生システムにおいて、
前記外部機器から取得した音声データを所定の時間長で分割する時間長データ分割手段と、
前記時間長データ分割手段により所定の時間長で分割された前記音声データ毎にデータファイルを生成し前記記憶手段に記憶する記憶制御手段と、を備えることを特徴とする。
【００１２】
請求項６に記載の発明は、音声データを出力する外部機器と、
該音声データを取得し記憶する記憶手段と、該記憶手段に記憶された音声データの再生を行う再生手段とを備えた記録再生装置とから構成される記録再生システムにおいて、
前記外部機器から取得した音声データの無音部分を検出することにより前記音声データを分割する無音部分データ分割手段と、
分割された前記音声データ毎にデータファイルを生成し前記記憶手段に記憶する記憶制御手段と、を備えることを特徴とする。
【００１３】
請求項７に記載の発明は、請求項５又は６に記載の記録再生システムにおいて、
前記データファイルが所定数生成されると、ディレクトリを生成するディレクトリ生成手段を更に備え、前記記憶制御手段は、前記所定数のデータファイルを該ディレクトリと対応付けて格納し前記記憶手段に記憶することを特徴とする記録再生システム。
【００１４】
請求項８に記載の発明は、請求項５〜７の何れか一項に記載の記録再生システムにおいて、
前記外部機器は複数種類の音声再生手段を有し、該音声再生手段を選択するセレクタ装置を更に備え、前記記録再生装置は、前記セレクタ装置によって選択される前記音声再生手段の種類を示す情報を取得するセレクタ情報取得手段を更に備え、
前記音声データの分割に際し、前記セレクタ情報に基づいて前記時間長データ分割手段又は前記無音部分データ分割手段を選択して前記音声データの分割を行うことを特徴とする。
【００１５】
請求項９に記載の発明は、電子データを記憶する記憶手段に外部音源から入力される音声データを記録し、音声データの再生を行う再生手段で該音声データの再生を行う記録再生方法において、
入力された前記音声データを所定の時間長で分割するステップと、
分割した前記音声データごとにデータファイルを生成し前記記憶手段に記憶するステップと、を含むことを特徴とする。
【００１６】
請求項１０に記載の発明は、電子データを記憶する記憶手段に外部音源から取得する音声データを記録し、音声データの再生を行う再生手段で該音声データの再生を行う記録再生方法において、
取得した前記音声データから無音部分を検出することにより前記音声データを分割するステップと、
分割した前記音声データ毎にデータファイルを生成し前記記憶手段に記憶するステップとを含むことを特徴とする。
【００１７】
請求項１１に記載の発明は、プログラムであって、音声データを記憶する記憶手段と、該記憶手段に記憶された音声データの再生を行う再生手段とを備えた記録再生装置を制御するコンピュータに、
前記音声データを外部音源から取得する機能と、
該音声データを所定の時間長で分割する機能と、
前記所定の時間長で分割された音声データ毎にデータファイルを生成し前記記憶手段に記憶する機能と、を実現することを特徴とする。
【００１８】
請求項１２に記載の発明は、プログラムであって、音声データを記憶する記憶手段と、該記憶手段に記憶された音声データの再生を行う再生手段とを備えた記録再生装置を制御するコンピュータに、
前記音声データを外部音源から入力する機能と、
該音声データから無音部分を検出することにより前記音声データを分割する機能と、
前記分割された音声データ毎にデータファイルを生成し前記記憶手段に記憶する機能と、を実現することを特徴とする。
【発明の効果】
【００１９】
本発明によれば、所定の時間長あるいは所定の音声レベルを一定時間検出しない場合に、入力デーデータを分割し、この分割したデータ単位でファイルを生成するため、長大なデータを電子的に管理しやすくなるという効果がある。特に、入力されるデータがアナログで入力される場合には、音声データを１つのファイルに格納することが無くなり、再生時に所望する音声データへ容易にアクセスすることができるという効果がある。特に、入力データが会議等を録音したものであれば、必要な内容が録音されたファイルと不要な内容を録音したファイルとを瞬時に整理することができ、情報管理や記録再生装置に設けられる記憶媒体の記憶容量を確保することもできるという効果がある。
また、所定の音声レベルが一定時間検出されないことをトリガーとして音声データを分割する場合には、入力データが曲等の音声データである場合に曲毎にファイルを作成することができ、ＰＣやネットワークを介して音声データを記憶する場合と同様のファイル管理を行うことができる。
更に、所定数のファイルが作成されるとディレクトリを生成しこれらファイルを格納する構成とすることで、更に情報管理がし易くなるという効果がある。特に、作成されたファイルが時系列的に格納されまたこのディレクトリも時系列的に管理されるため、所望する音声データが格納されたファイルをサーチする際にも、ユーザの記憶等を頼りに感覚的に予想することもし易いという効果もある。
また、外部機器がセレクタ機能を有する場合に、このセレクタ情報を入力するセレクタ情報入力手段を設けることで、外部機器の種類により時間長データ分割手段と無音部分データ分割手段とを選択する構成とすることができるようになる。例えば、外部機器からラジオ放送等を入力する場合、アナウンスや音楽等の音声データが混在するため、時間長データ分割手段でデータを分割して管理するのが好ましい。また、ＣＤや磁気テープの再生データを入力する場合、無音部分データ検出手段でデータを分割して管理するのが好ましい。このように、外部機器が出力する音声データのカテゴリーに応じてデータ分割手段を選択することもできるという効果もある。
【発明を実施するための最良の形態】
【００２０】
次に、図を用いて本発明を実施するための最良の形態について説明する。図１は、本発明を適用した携帯型記録再生装置であるポータブル記録再生装置１及びポータブル記録再生装置１をシステムコンポ１５と接続した記録再生システムの構成を示す。先ず、ポータブル記録再生装置１について説明する。ポータブル記録再生装置１は、ＰＣやＣＤプレーヤ等からデジタル音声データやアナログ音声データの供給を受け、半導体メモリやハードディスク等の記録媒体５に記憶し、ユーザの操作によって図示しないイヤホン等から音声を出力するものである。
ポータブル記録再生装置１は、ＣＰＵ２、ＲＯＭ（Ｒｅａｄ  Ｏｎｌｙ  Ｍｅｍｏｒｙ）３、ＲＡＭ（Ｒａｎｄｏｍ  Ａｃｃｅｓｓ  Ｍｅｍｏｒｙ）４、記録媒体５、音声処理部６、コマンド受信部７、コマンド入力端子８、音声データ入力端子９、表示部１０、入力部１１、割込みコントローラ１２、外部Ｉ／Ｆ１３及びイヤホン出力端子１４から構成される。
【００２１】
制御部としてのＣＰＵ２は、オペレーションプログラムや音声データ等の取得及び各種音声処理用のアプリケーションプログラムをＲＯＭ３から読み出し、ワークエリアとしてのＲＡＭ４に展開して音声再生処理や音声データ等の取得処理を制御する。音声データ取得処理では、外部Ｉ／Ｆ１３を介してＰＣから音声データを取得したり、後述する音声データ用ケーブル２５及びコマンド用ケーブル２４を介してシステムコンポ１５から出力される音声データ及びセレクタ情報を取得する制御を行う。
【００２２】
外部機器であるシステムコンポ１５からの音声データ取得処理では、入力した音声データを分割して分割したデータごとにファイルを生成して記録する。所定の数のファイルが生成されるとディレクトリを生成してこれら所定数のファイルを格納する処理を行う。音声データの分割は、時計回路やカウンタ（不図示）等の計時素子からの出力信号に基づいて所定時間毎に（例えば３分毎）データを分割する時間長データ分割処理又は音声データの音声レベルに一定の閾値を予め設定し、この閾値以下の音声レベルが所定時間（例えば２〜３秒）検出される場合に、この閾値以下の音声レベルの部分でデータを分割する無音部分データ分割処理により行う。
【００２３】
ＲＯＭ４は、ＥＥＰＲＯＭ（Ｅｌｅｃｔｒｉｃａｌ  Ｅｒａｓａｂｌｅ  Ｐｒｏｇｒａｍｍａｂｌｅ  ＲＯＭ）等の不揮発性メモリから構成される。ポータブル記録再生装置１の制御に関するオペレーションプログラムや音声データの再生処理及び音声データの取得処理に関するアプリケーションプログラムを格納する。
【００２４】
ＲＡＭ４は、フラッシュメモリ等の不揮発メモリから構成される。ＣＰＵ２がオペレーションプログラムやアプリケーションプログラムとの協働により行う各種の演算及びその結果を一時的に記憶する。
【００２５】
記録媒体５は、電気的及び磁気的にアプリケーションプログラムや音声データを記憶する記憶媒体であり、半導体メモリやハードディスクから構成される。音声データは、ファイルやディレクトリから構成されるツリー構造により区分されて格納される。図２に記録媒体５に記憶されるデータの構造例を示す。図２では、入力された音声データが３分おきに分割されて夫々１つのファイルＦ１〜Ｆ１１に格納され、これらファイルを５つ毎に１つのディレクトリＤ１及びＤ２に格納するツリー構造を示している。ファイルの数が５つに満たない場合は、ディレクトリを生成せずに、先に生成されたディレクトと同一の階層に独立して記憶される（図２のファイルＦ１１参照）。なお、３分に満たない音声データ（例えば、入力される音声データの最後の部分）も１つのファイルで管理される。また１つのファイルに格納する音声データは３分間分の音声データに限らず適宜設定可能であるし、１つのディレクトリに格納するファイルの数も適宜設定変更可能である。
【００２６】
各ファイルは、時系列的に格納されている。図２では、例えばファイルＦ１のファイル名は「ＡＡ２００５０７０７１０００.ＭＰ３」であるが、これは「ＡＡ」格納されるディレクトリを示し、「２００５０７０７」がファイルを作成した年月日「２００５年７月７日」を示す。「１０００」は「午前１０時００分」を示す。「ｍｐ３」はファイル形式を示す拡張子である。このように、時系列的に分割格納するので、ファイル管理がしやすくなる。
【００２７】
図１に戻り、音声処理部６は、ＣＰＵ２からの指示信号に従って音声データ入力端子９から入力されたアナログ音声データを時間長データ分割処理又は無音部分データ分割処理により分割する。具体的には、所定の時間毎又は所定の音声レベルが一定時間検出できない場合に、音声データにトラックマーク情報を記録する。その後、分割した音声データ毎に、図示しないＡ／Ｄ（Ａｎａｌｏｇ／Ｄｉｇｉｔａｌ）変換器にてデジタル音声データに変換し、ポータブル再生装置が採用する圧縮データ形式（例えば、ＭＰ３（登録商標））に変換するデコードを行う。データ圧縮の後は分割したデータを記録媒体５に送信すると共に、ＣＰＵ２にデータ転送信号を送信する。データ転送信号を受信したＣＰＵ２は、分割データ毎にファイルを生成し記録媒体５上のアドレス管理領域に各ファイルのアドレスを書き込む処理を行う。
【００２８】
コマンド受信部７は、コマンド入力端子８を介してシステムコンポ１５から入力されるアナログ形式のセレクタ情報を受信する。セレクタ情報は複数種類の電圧が検出できればアナログのままでもデジタルに変換してもよい。本実施の形態では、コマンド受信部７にコンパレータ回路を適用し、アナログで入力されるセレクタ情報に基づいて所定のデジタル信号をＣＰＵ２に出力するものとする。セレクタ情報は、システムコンポ１５から出力される音声データを供給する装置のカテゴリーを示す情報である。例えば、ラジオチューナやＣＤプレーヤにより再生される音声データが供給されている旨を示すものである。詳細は、後述する。
【００２９】
表示部１０は、ＴＦＴ（Ｔｈｉｎ  Ｆｉｌｍ  Ｔｒａｎｓｉｓｔｏｒ）液晶素子や有機ＥＬ（Ｅｌｅｃｔｒｏ  Ｌｕｍｉｎｅｓｃｅｎｃｅ）素子を用いたＦＰＤ（Ｆｌａｔ  Ｐａｎｅｌ  Ｄｉｓｐｌａｙ）から構成される。ポータブル記録再生装置１の起動時における起動画面、音声データの選択時における選択画面及び曲のタイトル、アーティスト名、再生時間や各種アプリケーションプログラムに基づく時刻や機能選択等の表示を行う。入力部１１は、音声データの再生、スキップ、曲の選択、各種機能設定に使用する入力キーや音声ボリューム調節用キー等の複数のキーから構成される。ユーザの操作性を考慮し、ポータブル記録再生装置１で表示部１０が設けられる平面と同じ面に設けるのが好ましい。なお、表示部１０をタッチパネルとして入力部１１と兼用してもよい。入力部１１から出力される指示信号は割込みコントローラ１２により割込み信号が生成され、適宜ＣＰＵ２に出力することができる。
【００３０】
次に、システムコンポ１５について説明する。システムコンポ１５は、ＣＤ再生部１９、ラジオチューナ１８及び磁気テープ再生部２０等の複数の音声再生装置を備える。システムコンポ制御部１６は、ＣＰＵ、ＲＯＭ、ＲＡＭ等から構成され、システムコンポ１５の音声再生処理等の全体制御を行う。セレクタ１７は、システムコンポ制御部１６が制御を行う音声再生装置を選択するものであり、ユーザの操作によりＣＤ再生部１９、ラジオチューナ１８及び磁気テープ再生部２０の何れか１つが選択されることにより、その選択された装置での音声再生を行うことができるようになっている。
【００３１】
コマンド送信部２２は、ポータブル記録再生装置１で音声データ取得処理を行う際に、セレクタ１７で選択されている音声再生装置の種類を示す信号を、コマンド出力端子２１を通じて出力する。コマンド出力端子２１は、例えば、所定の規格に基づいた信号出力を行うＡＵＸ端子等から構成される。アナログ出力端子とすることもデジタル出力する構成としてもよい。
【００３２】
音声出力端子２３は、ＣＤ再生部１９、ラジオチューナ１８及び磁気テープ再生部２０の何れかが再生した音声データを出力するアナログ端子である。従来からのオーディオ機器に一般的に装備されるデータ出力端子であり、本実施形態の１つの特徴として、このアナログ出力端子から出力される音声データをポータブル記録再生装置１に記録することが上げられる。
【００３３】
以上の構成を有するポータブル記録再生装置１及びその記録再生システムの動作について図３に示すフロー図を用いて説明する。以下の処理では、先ずシステムコンポ１５で選択される音声再生装置はラジオチューナ１８とし、この出力データを入力したポータブル記録再生装置１では、時間長データ分割処理を行うものとして説明する。
なお、ポータブル記録再生装置１で行われる音声データ取得処理は、音声データ取得プログラムに従ってＣＰＵ２により処理が行われる。
【００３４】
ユーザがセレクタ１７を操作し、音声再生装置としてラジオチューナ１８を選択することで音声出力端子２３からアナログの音声データ（アナウンスや曲のデータ）が出力される。それと同時にコマンド送信部２２からラジオチューナからの音声データ出力である旨を示すセレクタ情報がコマンド出力端子２１を介して出力される（ステップＳ１０１）。
【００３５】
ステップＳ１０１で出力されたセレクタ情報はコマンド入力端子８を通じてコマンド受信部７に入力される。コマンド受信部７は、セレクタ情報のアナログ信号の電圧値に基づいてコンパレータ回路から予め設定されたデジタル信号をＣＰＵ２に送信する。デジタイズされたセレクタ情報の入力を受けたＣＰＵ２は、ＲＯＭ３から音声データ取得プログラムを読み出し、音声データ取得処理を開始する（ステップＳ２０１）。
【００３６】
次いで、音声データ入力端子９を通じて音声処理部６に入力されたアナログの音声データを分割する処理を行う。即ち、ステップＳ２０１で取得したセレクタ情報に基づき、時間長データ分割処理を行うか無音部分データ分割処理を行うかの判断を行う。即ちセレクタ情報がラジオチューナであるかの判断を行う（ステップＳ２０２）。
【００３７】
本動作説明では、ラジオチューナからの入力音声データであるから（ステップＳ２０２：ＹＥＳ）、時間長データ分割処理により入力された音声データを分割する（ステップＳ２０３）。具体的には、時計回路等の計時手段から送出される信号に基づき、所定時間（例えば３分）を経過する毎に音声データにトラックマーク情報を記録する。
【００３８】
ステップＳ２０３にて、所定時間毎に分割された音声データに対し、Ａ／Ｄ変換器（不図示）でデジタイズを行い所定の規格に基づく圧縮データを生成したのち、記録媒体５上でのアドレスを付与してファイルに格納する（ステップＳ２０４）。
【００３９】
次いで、ＣＰＵ２は、記録媒体５に記録されるファイルが所定数（例えば５つ）になると、ディレクトリを生成してこれら５つのファイルをディレクトリに格納する（ステップＳ２０５）。具体的には、５つのファイルとディレクトリとを対応付ける情報を記録媒体５の管理領域に書込む処理を行う。その後、音声データから所定の音声レベルが一定時間検出されなくなると音声データ取得処理を終了する。
【００４０】
ステップＳ２０２でセレクタ情報がラジオチューナ以外、即ちＣＤ再生部１９乃至は磁気テープ再生部２０である場合には（ステップＳ２０２：ＮＯ）、無音部分データ分割処理により入力された音声データを分割する（ステップＳ２０６）。具体的には、音声レベルに一定の閾値を設け、時計回路から出力される時間情報に基づいて閾値以下の音声レベルを所定時間（例えば３秒）連続して検出するとトラックマーク情報を記録する。
【００４１】
ステップＳ２０６にて、音声データを分割した後は、上記ステップＳ２０４及びＳ２０５と同様に、所定時間毎に分割された音声データに対し、Ａ／Ｄ変換器（不図示）でデジタイズを行い所定の規格に基づく圧縮データを生成したのち、記録媒体５上でのアドレスを付与してファイルに格納し、記録媒体５上に記録されるファイルが所定数（例えば５つ）になると、ディレクトリを生成してこれら５つのファイルをディレクトリに格納する。
その後、音声データから所定の音声レベルが一定時間（例えば５秒）検出されなくなると音声データ取得処理を終了する。
【００４２】
以上、本発明を適用したポータブル記録再生装置１及び記録再生システムによれば、所定の時間長あるいは所定の音声レベルを一定時間検出しない場合に、入力デーデータを分割し、この分割したデータ単位でファイルを生成するため、長大なデータを電子的に管理しやすくなるという効果がある。
特に、入力されるデータがアナログであるため、音声データを１つのファイルに格納することが無くなり、再生時に所望する音声データへ容易にアクセスすることができるという効果がある。特に、入力データが会議等を録音したものであれば、必要な内容が録音されたファイルと不要な内容を録音したファイルとを瞬時に整理することができ、情報管理や記録再生装置に設けられる記憶媒体の記憶容量を確保することもできるという効果がある。
【００４３】
また、所定の音声レベルが一定時間検出されないことをトリガーとして音声データを分割する場合には、入力データが曲等の音声データである場合に曲毎にファイルを作成することができ、ＰＣやネットワークを介して音声データを記憶する場合と同様のファイル管理を行うことができる。音声データの出力源がＣＤプレーヤや磁気テーププレーヤの場合には、出力されるデータは曲のデータあることが多い、このような場合にも曲ごとにデータの管理を行うことができるようになる。
【００４４】
また、所定数のファイルが作成されるとディレクトリを生成しこれらファイルを格納する構成とすることで、更に情報管理がし易くなるという効果がある。特に、作成されたファイルが時系列的に格納され、またこのディレクトリも時系列的に管理されるため、所望する音声データが格納されたファイルをサーチする際にも、ユーザの記憶等を頼りに感覚的に予想することもし易いという効果もある。
【００４５】
また、外部機器がセレクタ機能を有する場合に、このセレクタ情報を入力するセレクタ情報入力手段を設けることで、外部機器の種類により時間長データ分割処理と無音部分データ分割処理とを選択する構成とすることができるようになる。外部機器が出力する音声データのカテゴリーに応じてデータ分割処理を選択することで、音声データの取得処理にさいして簡便且つ好適なデータ管理を実現することができるという効果がある。
【００４６】
以上、本発明を実施するための最良の形態について説明したが、本発明は上記種々の例に限定されるものではない。
【図面の簡単な説明】
【００４７】
【図１】本発明を実施するための最良の形態におけるポータブル記録再生装置及びシステムコンポの構成及び接続の形態を示したブロック図である。
【図２】本発明実施するための最良の形態におけるポータブル記録再生装置の記録媒体上での音声データの格納構造を示した模式図である。
【図３】実施するための最良の形態におけるポータブル記録再生装置の音声データ取得処理の処理手順を示したフロー図である。
【符号の説明】
【００４８】
１  ポータブル記録再生装置
２  ＣＰＵ
３  ＲＯＭ
４  ＲＡＭ
５  記録媒体
６  音声処理部
７  コマンド受信部
８  コマンド入力端子
９  音声データ入力端子
１０  表示部
１１  入力部
１２  割込みコントローラ
１３  外部インターフェース
１４  イヤホン出力
１５  システムコンポ
１６  システムコンポ制御部
１７  セレクタ
１８  ラジオチューナ
１９  ＣＤ再生部
２０  磁気テープ再生部
２１  コマンド出力端子
２２  コマンド送信部
【図１】
2007095188.tif 000003
【図２】
2007095188.tif 000004
【図３】
2007095188.tif 000005